(57)【要約】【課題】ランプ信号の再構成に使用されるカウンタの初期化に必要な待ち時間を低減する。【解決手段】装置Ｄ２は、例えばＩＰネットワークの通信機器ＥＱ２のアイテム内に同期信号の再構成を支援するために設けられる。装置Ｄ２は、受信される第２のサンプルランプ信号に基づき、基準クロック信号と、サンプリングされた第２のランプ信号と同一且つ同相の第２のランプ信号とを再構成する位相ロックループＢＶと、再構成されるべき同期信号を表し、その各サンプルは決定可能なサンプリング周期に対応する第２のランプ信号のサンプルに関連付けられる受信される第１のサンプルランプ信号で、この第１のサンプルランプ信号の第１のサンプルに対応する値と、この値に対応するサンプリング周期とを決定し、次いで、再構成された基準クロック信号に基づき、第２の再構成されたランプ信号に対して同期する同期カウンタをこの値により初期化する処理手段とを有する。【選択図】図２
2008178098.tif 000002
【特許請求の範囲】
【請求項１】
ｉ）受信される同期信号において基準クロック信号及びコンテンツＰＩＰを回復し、最後に回復されるコンテンツＰＩＰから後及び最後の基準ＰＩＰから後の夫々で供給された前記基準クロック信号のＴＩＣＫの数を表す第１及び第２の同期ランプ信号を供給するよう構成され、各コンテンツＰＩＰは、前記第１のランプ信号の零への設定をトリガし、各基準ＰＩＰは、前記第１のランプ信号の零設定の数が選択される閾値に等しい場合に定められ、
ｉｉ）結果として得られるサンプルがパケットのフレームで送信されるように、サンプリング周波数に従って前記第２のランプ信号をサンプリングするよう構成されるサンプラを有する、同期信号を表すサンプルランプ信号を発生させる装置であって、
前記第１及び第２のランプ信号のサンプルがパケットフレームで関連する方法で送信されるように、前記サンプラは、更に、前記サンプリング周波数に従って前記第１のランプ信号をサンプリングし、同一のサンプリング周期に対応する前記第１及び第２のランプ信号のサンプルを相互に関連付けるよう構成される、ことを特徴とする装置。
【請求項２】
前記第１及び第２のランプ信号の関連付けられたサンプルが同一のパケット内に組み込まれるように、前記サンプラは、同一のサンプリング周期に対応する前記第１及び第２のランプ信号のサンプルを相互に関連付けるよう構成される、ことを特徴とする請求項１記載の装置。
【請求項３】
前記サンプラの出力へ接続され、送信されるべき前記フレームのパケットを構成するよう構成されるネットワークインターフェース手段を有する、ことを特徴とする請求項１又は２記載の装置。
【請求項４】
パケットのフレームの送信に適したパケット切換通信ネットワークのための通信機器のアイテムであって、
請求項１乃至３のうちいずれか一項記載のサンプルランプ信号を発生させる装置を有する、ことを特徴とするアイテム。
【請求項５】
局所的なサンプリング周波数と同一且つ同相の選択されるサンプリング周波数に従うサンプリング後に、機器の遠く離れたアイテムによって送信される第２のランプ信号に基づいて、基準クロック信号を、次いで、前記サンプリング前に前記第２のランプ信号と同一且つ同相の第２のランプ信号を再構成するよう構成される位相ロックループを有し、前記第２のランプ信号自体は、再構成されるべき同期信号を表す第１のランプ信号に同期する、同期信号の再構成を支援する装置であって、
受信されるサンプルランプ信号の第１のサンプルに対応する値と、該値に対応するサンプリング周期とを少なくとも決定し、次いで、前記値から前記決定されたサンプリング周期に対応する前記第１のランプ信号の一部を表す初期化値を推定し、前記再構成された基準クロック信号に基づいて、前記再構成されたランプ信号に対して同期する同期カウンタを前記初期化値により初期化するよう構成される処理手段を更に有する、ことを特徴とする装置。
【請求項６】
前記同期カウンタの各零設定の間にコンテンツＰＩＰを定めるよう構成される制御手段を有する、ことを特徴とする請求項５記載の装置。
【請求項７】
前記同期カウンタに同期し、且つ、現在の値がコンテンツの選択されたサブセットを表すところの少なくとも１つの補助カウンタを有し、
前記処理手段は、前記同期カウンタの現在の値から前記補助カウンタの対応する値を推定し、前記同期カウンタの現在の値が前記補助カウンタが取ることができる最大値に対応する場合に前記補助カウンタの値を零に設定するよう構成され、
前記制御手段は、前記補助カウンタの零への設定の各検出の間に同期ＰＩＰを定めるよう構成され、その場合に、前記同期ＰＩＰは、前記同期信号を再構成するための開始時として働く、ことを特徴とする請求項５又は６記載の装置。
【請求項８】
定められる前記コンテンツＰＩＰ及び／又は同期ＰＩＰと、局所的な基準クロック信号とに基づいて、同期信号を再構成するよう構成される発生手段を有する、請求項６又は７記載の装置。
【請求項９】
同期信号の再構成を支援する装置であって、
ｉ）局所的なサンプリング周波数と同一且つ同相の選択されるサンプリング周波数に従うサンプリング後に、機器の遠く離れたアイテムによって送信される第２のランプ信号に基づいて、基準クロック信号と、サンプリングされた第２のランプ信号と同一且つ同相の第２のランプ信号とを再構成するよう構成される位相ロックループと、
ｉｉ）前記サンプリング周波数に従うサンプリング後に前記機器の遠く離れたアイテムによって送信される第１のランプ信号であって、再構成されるべき同期信号を表し、その各サンプルは決定可能なサンプリング周期に対応する前記第２のランプ信号のサンプルに関連付けられる第１のランプ信号において、受信される第１のサンプルランプ信号の第１のサンプルに対応する値と、該値に対応するサンプリング周期とを少なくとも決定し、次いで、前記再構成されたクロック信号に基づいて、前記第２の再構成されたランプ信号に対して同期する同期カウンタを前記決定される値により初期化するよう構成される処理手段と
を有することを特徴とする装置。
【請求項１０】
前記同期カウンタの各零設定の間にコンテンツＰＩＰを定めるよう構成される制御手段を有する、ことを特徴とする請求項９記載の装置。
【請求項１１】
前記同期カウンタに同期し、現在の値がコンテンツの選択されたサブセットを表すところの少なくとも１つの補助カウンタを有し、
前記処理手段は、前記同期カウンタの現在の値から前記補助カウンタの対応する値を推定し、前記同期カウンタの現在の値が前記補助カウンタが取ることができる最大値に対応する場合に前記補助カウンタの値を零に設定するよう構成され、
前記制御手段は、前記補助カウンタの零への設定の各検出の間に同期ＰＩＰを定めるよう構成され、その場合に、前記同期ＰＩＰは、前記同期信号を再構成するための開始時として働く、ことを特徴とする請求項９又は１０記載の装置。
【請求項１２】
定められる前記コンテンツＰＩＰ及び／又は同期ＰＩＰと、局所的な基準クロック信号とに基づいて、同期信号を再構成するよう構成される発生手段を有する、請求項１０又は１１記載の装置。
【請求項１３】
パケットのフレームの送信に適したパケット切換通信ネットワークのための通信機器のアイテムであって、
請求項５乃至１２のうちいずれか一項記載の同期信号の再構成を支援する装置を有する、ことを特徴とするアイテム。
【請求項１４】
請求項１乃至３のうちいずれか一項記載のサンプルランプ信号を発生させる装置、請求項５乃至１２のうちいずれか一項記載の同期信号の再構成を支援する装置、及び、請求項４又は請求項１３記載の通信機器のアイテムの、映像機器又工業機器の同期への適用。
【発明の詳細な説明】
【技術分野】
【０００１】
本発明は、機器の同期化に関し、特に、機器の相互同期化を目的とする通信ネットワークを介した同期信号の伝送に関する。
【背景技術】
【０００２】
ある機器、例えば、映像機器（例えば、カメラ又はビデオレコーダ）は、基準時間ベースに対して同期する時点で、（例えばビデオ画像を定義する）同期データを供給することができる。このような同期化は、同期信号を機器へ送信することによって行われる。同期信号は、例えば、映像機器の（限定されない）場合に、“ゲンロック（Ｇｅｎｌｏｃｋ）”と呼ばれる。
【０００３】
同期信号の送信が、例えば同軸タイプの専用ケーブルを用いて行われる場合に、他の信号はこのケーブルを流れない。結果として、同期すべき機器の様々なアイテムに同期信号を送信する際の遅延は一定であり、ジッタを含まない。受信される同期信号に基づいて、機器の各受信器アイテムは、その動作に特有であって、且つ、そのアイテムが生成する各データセット（例えば、画像。）が、同じ同期化に従う機器の夫々の他のアイテムによって生成される各データセットと厳密に同相であることを保証するタイミングクロック（即ち、基準時間ベース又は基準クロック信号。）を再構成することができる。このようにして、２つのカメラは、例えば、異なっているが、互いに対して厳密に同相であって、且つ、同じ周波数である映像コンテンツを生成することができる。思い出されるべきは、クロックの位相及び周波数は、そのタイミングと呼ばれるものを構成する点である。
【０００４】
機器が、特に、例えば有線（イーサネット（登録商標））ＩＰネットワーク又は無線ＩＰネットワークのような所謂パケット切換ネットワークの場合のように、機器の1つのアイテムから他のアイテムへと変化する伝送遅延及びジッタを導入する通信ネットワークへ接続されている場合、同期信号を送信することは、もはや可能でない。その場合、同期信号を表すサンプルランプ信号がネットワーク部において送信される。
【０００５】
より正確に言えば、送信側で、基準クロック信号及びコンテンツＰＩＰ（例えば、画像ＰＩＰ。）を回復することを可能にする情報は、同期信号（例えば、ゲンロック。）から抽出される。同期信号は、機器のマスタアイテムによって供給される。基準クロック信号は、最後に回復されたコンテンツＰＩＰから後に、且つ、最後の基準ＰＩＰから後に夫々供給された基準クロック信号のＴＩＣＫの数を表す第１及び第２の同期ランプ信号を供給する第１及び第２のカウンタに供給される。第１のカウンタの値は、コンテンツＰＩＰが回復されるたびに零に設定される。第３のカウンタは、第１のランプ信号の零設定の回数を測定し、この回数が選択された閾値に等しくなるたびに、基準ＰＩＰを生成する。第２のカウンタの値（一般に“ＰＣＲ（Ｐｒｏｇｒａｍ  Ｃｌｏｃｋ  Ｒｅｆｅｒｅｎｃｅ）”と称される。）は、基準ＰＩＰが生成されるたびに零に設定される。第２のランプ信号は、（概してネットワークによって供給される）サンプリング周波数に従ってサンプリングされ、結果として得られるサンプルは、パケットのフレームを用いて機器の受信器アイテムへネットワークを介して送信される。
【０００６】
映像コンテンツの場合、コンテンツＰＩＰの周期は、例えば、６２５ライン標準の場合に、４０ミリ秒（ｍｓ）に等しいことが知られる。
【０００７】
受信器側で、ネットワークを介して受信されるサンプルは、位相ロックループ（即ち、ＰＬＬ。）を同期させて、開始基準クロック信号を再構成するために使用される。より正確に言えば、位相ロックループは、送信された第２のサンプルランプ信号に基づいて、基準クロック信号を再構成し、次いで、位相ロックループは、送信側でサンプリングされた第２のランプ信号と同一であって、且つ、同相である第２のランプ信号を再構成する。処理手段は、第２の再構成されたランプ信号と、再構成された基準クロック信号とに基づき、第２の再構成されたランプ信号に対して同期する同期カウンタの値を初期化する。
【０００８】
規則的な間隔（サンプリング周期）で送信側においてサンプリングされた第２のランプ信号（ＰＣＲ）は、主に（例えばＩＰを介して）それらを送信することによって導入されるジッタのために、受信側に不規則な間隔で到達する。これらのＰＣＲ信号は、やはり、受信側において規則的な間隔（Ｔｓａｍｐ）で考慮される。位相ロックループ（ＰＬＬ）は、周期Ｔｓａｍｐのサンプリング信号によってランプをカウントするＰＣＲのサンプリング時点に関連するジッタにフィルタをかける。従って、送信側で発生した第２のランプ信号（ＰＣＲ）に厳密に同期するよう生成された第２のランプ信号は、（受信側の）カウンタからの出力として取り出される。送信側でのサンプリング時点と、受信側でのサンプリング時点との間の不正確さは、適切な帯域幅を有するＰＬＬによって吸収される。従って、受信側で再構成される基準クロック信号のタイミングは、周波数及び位相のいずれにおいても、送信側で生成された基準クロック信号と同一である。
【０００９】
タイミングが再構成されると、第１のランプ信号を再構成し、それを第２の再構成されたランプ信号に同期させることが必要とされる。従って、送信側で使用されるものと同じ零設定周期（例えば、４０ｍｓ。）が使用される。その場合、第１のランプ信号が零に設定されるたびに、コンテンツＰＩＰが生成され、初期同期信号は、再構成された基準クロック信号と、コンテンツＰＩＰとに基づいて再構成される。
【特許文献１】ＥＰ１４７１７４５Ａ
【特許文献２】ＷＯ０３／０１０９０５Ａ
【特許文献３】ＥＰ０６２４９８２Ａ
【特許文献４】ＥＰ１６１３０１６Ａ
【特許文献５】ＵＳ２００６／１４６８１５Ａ１
【発明の開示】
【発明が解決しようとする課題】
【００１０】
第１のランプ信号の再構成は、現在のところ、第２のランプ信号（ＰＣＲ）の周期Ｔ２が、その第１のランプ信号の周期Ｔ１の整数倍、即ち、Ｔ２＝ｍ×Ｔ１でない限り行われ得ない。結果として、第１のランプ信号を再構成し始めることができるように、第２のランプ信号を再構成するために使用されるカウンタの零への最初の設定のために受信側が待機する必要がある。このような待機は、最悪の場合に、第２のランプ信号（ＰＣＲ）の周期Ｔ２にほぼ等しい。この場合に、当業者は、受信側のＰＬＬのロックオン時間に関連する理由のために、周期Ｔ２の存続期間が非常に長くなりうることに気付く。例えば、４０ｍｓ（映像コンテンツ）に等しい周期Ｔ１の存在下で、ｍはおよそ２０００程度でなければならない。従って、第１のランプ信号を再構成するために使用されるカウンタを初期化するための待ち時間は約８０秒に等しくなりうる。これは非常に長い。
【００１１】
このような待ち時間を減らすよう、例えば、待ち時間がその最大値に近くなる場合に（即ち、待ち時間が零にリセットされる少し前に）、第２のランプ信号を（送信側が）送信し始めると決定することが可能である。しかし、これは、利用の段階でほとんど起こらない送信及び受信のほぼ同時の開始を含みうる。
【００１２】
従って、本発明は、第２のランプ信号（ＰＣＲ）の周期Ｔ２が第１のランプ信号の周期Ｔ１の整数倍でない場合を含め、例えばＩＰ形式のパケット切換ネットワークへ接続された通信機器の遠く離れたアイテムにおいて第１のランプ信号を再構成するために使用されるカウンタの初期化に必要な待ち時間を可能な限り低減することを目的とする。
【課題を解決するための手段】
【００１３】
上記目的のために、本発明は、先ず最初に、同期信号を表すサンプルランプ信号の発生のために設けられた装置であって、一方で、受信される同期信号において基準クロック信号及びコンテンツＰＩＰを回復し、且つ、最後に回復されたコンテンツＰＩＰから後及び最後の基準ＰＩＰから後の夫々で供給された基準クロック信号のＴＩＣＫの数を表す第１及び第２の同期ランプ信号を供給し、他方で、結果として得られるサンプルがパケットのフレームで送信され得るように、サンプリング周波数に従って第２のランプ信号をサンプリングするサンプラを有する装置を提案する。夫々のコンテンツＰＩＰは、第１のランプ信号の零への設定をトリガし、夫々の基準ＰＩＰは、第１のランプ信号の零設定の回数が選択された閾値に等しい場合に決定される。
【００１４】
このような同期信号を表すサンプルランプ信号の発生のための発生装置は、そのサンプラが、更に、サンプリング周波数に従って第１のランプ信号をサンプリングし、且つ、第１及び第２のランプ信号のサンプルがパケットのフレームにおいて関連する方法で送信され得るように、同一のサンプリング周期に対応する第１及び第２のランプ信号のサンプルを相互に関連付けることを特徴とする。
【００１５】
前記サンプラは、また、第１及び第２のランプ信号の関連付けられたサンプルが同一のパケット内に組み込まれるように、同一のサンプリング周期に対応する第１及び第２のランプ信号のサンプルを相互に関連付けることができる。
【００１６】
更に、当該発生装置は、前記サンプラの出力へ接続され、送信されるべきフレームのパケットを構成するネットワークインターフェースを場合により有することができる。
【００１７】
本発明は、また、パケットのフレームを送信するのに適しており、上述された形式の発生装置を備えたパケット切換ネットワークのための通信機器の第１のアイテムを提案する。
【００１８】
本発明は、また、同期信号の再構成を支援することを目的とした第１の装置であって：
−機器の遠く離れたアイテムによって送信される第２のランプ信号に基づいて、基準クロック信号と、サンプリングされた第２のランプ信号と同一且つ同相である第２のランプ信号とを（局所的なサンプリング周波数と同一且つ同相である選択されたサンプリング周波数に従うサンプリングの後に）再構成する位相ロックループと、
−（前記サンプリング周波数に従うサンプリングの後に）前記機器の遠く離れたアイテムによって送信される第１のランプ信号であって、再構成されるべき同期信号を表し、且つ、その夫々のサンプルは決定可能なサンプリング周期に対応する第２のランプ信号のサンプルに関連付けられる第１のランプ信号において、少なくとも、受信される第１のサンプルランプ信号の第１のサンプルに対応する値と、この値に対応するサンプリング周期とを決定し、次いで、再構成された基準クロック信号に基づいて、第２の再構成されたランプ信号に対して同期する同期カウンタを前記値により初期化する処理手段と
を有する第１の装置を提案する。
【００１９】
本発明に従う同期信号の再構成を支援する第１の装置は、別々に又は組合せて取られ得る他の特徴を有することができる。具体的に：
−当該第１の装置は、同期カウンタの各零設定の間にコンテンツＰＩＰを決定する制御手段を有することができる；
−当該第１の装置は、最初に、前記同期カウンタに同期し、且つ、その現在の値がコンテンツの選択されたサブセットを表す少なくとも１つの補助カウンタと、第２に、該補助カウンタの対応する値を前記同期カウンタの現在の値から推定し、前記同期カウンタの前記現在の値が前記補助カウンタが取ることができる最大値に対応する場合に、前記補助カウンタの値を零に設定する処理手段と、第３に、前記補助カウンタの零への設定の夫々の検出の間に、前記同期信号を再構成するための開始時として働く同期ＰＩＰを定める制御手段とを有することができる；
−当該第１の装置は、決定された前記コンテンツＰＩＰ及び／又は同期ＰＩＰと、前記局的な基準クロック信号とに基づいて、同期信号を再構成する発生手段を有することができる。
【００２０】
本発明は、また、同期信号の再構成を支援することを目的とした第２の装置であって、機器の遠く離れたアイテムによって送信された第２のランプ信号に基づいて、（局所的なサンプリング周波数と同一且つ同相である選択されたサンプリング周波数に従うサンプリングの後に、）基準クロック信号を、次いで、サンプリング前に第２のランプ信号と同一且つ同相である第２のランプ信号を再構成する位相ロックループを有し、前記第２のランプ信号自体は、再構成されるべき同期信号を表す第１のランプ信号と同期する第２の装置を提案する。
【００２１】
この第２の支援装置は、受信される第２のサンプルランプ信号の第１のサンプルに対応する値と、この値に対応するサンプリング周期とを少なくとも決定し、次いで、この決定されたサンプリング周期に対応する第１のランプ信号の一部を表す初期化値を前記値から推定し、この初期化値により、再構成された基準クロック信号に基づいて、再構成されたランプ信号に対して同期する同期カウンタを初期化する処理手段を有することを特徴とする。
【００２２】
本発明に従う同期信号の再構成を支援する第２の装置は、別々に又は組合せて取られ得る他の特徴を有することができる。具体的に：
−当該第２の装置は、同期カウンタの各零設定の間にコンテンツＰＩＰを決定する制御手段を有することができる；
−当該第２の装置は、最初に、前記同期カウンタに同期し、且つ、その現在の値がコンテンツの選択されたサブセットを表す少なくとも１つの補助カウンタと、第２に、該補助カウンタの対応する値を前記同期カウンタの現在の値から推定し、前記同期カウンタの前記現在の値が前記補助カウンタが取ることができる最大値に対応する場合に、前記補助カウンタの値を零に設定する処理手段と、第３に、前記補助カウンタの零への設定の夫々の検出の間に、前記同期信号を再構成するための開始時として働く同期ＰＩＰを定める制御手段とを有することができる；
−当該第２の装置は、決定された前記コンテンツＰＩＰ及び／又は同期ＰＩＰと、前記局的な基準クロック信号とに基づいて、同期信号を再構成する発生手段を有することができる。
【００２３】
本発明は、また、パケットフレームを送信するのに適しており、上述された形式の同期信号の再構成を支援する第１又は第２の装置を備えられたパケット切換ネットワークのための通信機器の第２のアイテムを提案する。
【００２４】
本発明は、例えば製造ラインにおけるロボットのような工業機器のネットワークによる同期又は映像機器のネットワークによる同期に特によく適応するが、それらに限定されない。工業機器のネットワークによる同期では、送り側は、同一の対象において異なるタスクを実行する少なくとも２つのロボットを独立して同期させる。かかるロボットは、互いの実行タスクを侵さないように、時間的に正確な順序に従う。その場合、ロボットの夫々に特有の順序がＰＣＲランプ信号の特定の値に基づいて復号されると考えることができる。しかし、例えば、従うべき順序のシーケンスは約８０秒ごとに繰り返される必要がある。
【発明の効果】
【００２５】
本発明により、第２のランプ信号（ＰＣＲ）の周期Ｔ２が第１のランプ信号の周期Ｔ１の整数倍でない場合を含め、例えばＩＰ形式のパケット切換ネットワークへ接続された通信機器の遠く離れたアイテムにおいて第１のランプ信号を再構成するために使用されるカウンタの初期化に必要な待ち時間を可能な限り低減することが可能となる。
【発明を実施するための最良の形態】
【００２６】
本発明の他の特徴及び効果は、以下の発明の詳細な記載及び添付の図面を検討することで明らかとなるであろう。
【００２７】
添付の図面は、本発明を補う役目を果たすばかりでなく、必要に応じて、その定義の一因となりうる。
【００２８】
本発明の目的は、パケット切換ネットワークへ接続された通信機器の遠く離れたアイテムにおいて第１のランプ信号を再構成するために使用される同期カウンタの初期化に必要な待ち時間を減らすことを可能にすることである。
【００２９】
以下では、パケット切換通信ネットワークが、ＩＰ（インターネットプロトコル）アクセスを提供する有線のローカルネットワーク（例えば、イーサネット（登録商標）形式（ＩＥＥＥ８０２．３）。）であることが、限定されない例として考えられる。しかし、本発明は、このような形式のネットワークに限定されない。それは、実際には、有線によって又は無線によって、（可能ならばＩＰ形式の）パケットのフレームを送信することができる如何なる形式のパケット切換通信ネットワークにも関連する。
【００３０】
本発明は、受信側に置かれ、且つ、自身を同期させるよう同期信号を再構成するために、あるいは、機器の少なくとも１つの他のアイテムが自身を同期させることを可能にするために必要とする（通信）機器のアイテムのみならず、送信側に置かれ、且つ、受信側で再構成されるべき同期信号を表すサンプルランプ信号を発生させる機器の遠く離れたアイテムにも関連する。
【００３１】
本発明に関連する機器は、例えば、サーバ、通信インターフェース（例えば、ＩＰ／アナログ。）、工業機器（例えば、ロボット。）、又は、カメラによって撮影されたビデオ画像を見ることを可能にし、（カメラを含む）互いを同期させる必要がある機器であり、特に、固定された若しくは持ち運び可能な電話、固定式の若しくは携帯型のコンピュータ、パーソナルデジタルアシスタント（即ち、ＰＤＡ。）、ビデオレコーダ、及びビデオカメラ（即ち、その他スタジオビデオ機器。）である。
【００３２】
以下では、同期信号が、例えば４０ミリ秒（６２５ライン標準に相当。）に等しい所定期間（Ｔ１）に従ってビデオコンテンツ（又は画像）を供給する映像機器を同期させることを目的とすることが、限定されない例として考えられる。この場合に、同期信号は、一般に“ゲンロック（Ｇｅｎｌｏｃｋ）”と呼ばれる。しかし、本発明は、このような形式の用途に限定されない。それは、実際には、同期信号がパケット切換通信ネットワークを介して（同期すべき）遠くの機器へ送信されるべき全ての状況に関連する。
【００３３】
最初に図１を参照して、サンプルランプ信号（カウンタ信号とも呼ばれる。）の発生のために設けられる（通信）機器ＥＱ１のアイテムについて記載する。表されるように、機器ＥＱ１のこのようなアイテムは、本発明に従う、サンプルランプ信号を発生させる装置Ｄ１を有する。変形例において、（サンプルランプ信号を発生させる）装置Ｄ１は、機器ＥＱ１の当該アイテムの外側にあるが、機器ＥＱ１の当該アイテムに結合されている要素（例えば、電子カード。）であっても良いことが知られる。
【００３４】
（サンプルランプ信号を発生させる）装置Ｄ１は、まず第１に、基準クロック信号Ｆｏｕｔ及び周期的なコンテンツＰＩＰＴＣを、受信される同期信号ＳＣにおいて回復する。
【００３５】
夫々の同期信号（ここではゲンクロック。）は、（限定されない方法で表される）機器ＥＱ１のアイテムの、又は、例えば同軸タイプのケーブルによって機器ＥＱ１の当該アイテムへ接続されている機器の他のアイテムの一部を形成するマスタ発生モジュールＧＭによって発生する。
【００３６】
コンテンツＰＩＰは、コンテンツ（ここではビデオ画像。）の開始を知らせる情報である。
【００３７】
同期信号ＳＣに基づく基準クロック信号Ｆｏｕｔ及びコンテンツＰＩＰＴＣの回復は、通常、抽出モジュールＭＥを用いて行われる。
【００３８】
装置Ｄ１は、また、回復された基準クロック信号Ｆｏｕｔ及びコンテンツＰＩＰＴＣに基づいて、第１の同期ランプ信号ＲＣ１及び第２の同期ランプ信号ＲＣ２を供給する。
【００３９】
第１のランプ信号ＲＣ１は、抽出モジュールＭＥによって回復された最後のコンテンツＰＩＰＴＣから後に供給された基準クロック信号ＦｏｕｔのＴＩＣＫの数を各時点において表す。例えば、第１のカウンタＣ１は、回復された基準クロック信号Ｆｏｕｔに基づいて、第１のランプ信号ＲＣ１を発生させるために使用される。従って、夫々のクロック信号Ｆｏｕｔにおいて、第１のカウンタＣ１の値は１単位だけ増分される。
【００４０】
第２のランプ信号ＲＣ２は、最後の基準ＰＩＰから後に供給された基準クロック信号ＦｏｕｔのＴＩＣＫの数を各時点において表す。例えば、第２のカウンタＣ２は、回復された基準クロック信号Ｆｏｕｔに基づいて、第２のランプ信号ＲＣ２を発生させるために使用される。従って、夫々のクロック信号Ｆｏｕｔにおいて、第２のカウンタＣ２の値は１単位だけ増分される。
【００４１】
夫々のコンテンツＰＩＰＴＣは、第１のランプ信号ＲＣ１の零への設定をトリガする。例えば、第３のカウンタＣ３は、抽出モジュールＭＥによって回復された夫々のコンテンツＰＩＰＴＣを測定し、且つ、コンテンツＰＩＰＴＣが回復されて測定されるたびに、第１のカウンタＣ１を値零に設定するために使用される。この第３のカウンタＣ３は、更に、第１のカウンタＣ１（及び、従って、第１のランプ信号ＲＣ１の値）の零設定の回数が選択された閾値（ｍ）（例えば、ｍ＝２０４８。）に等しくなるたびに、基準ＰＩＰを定める役割を果たす。
【００４２】
以下で、参照符号Ｔ１は第１のランプ信号ＲＣ１の周期を表し、参照符号Ｔ２は第２のランプ信号ＲＣ２の周期を表す。
【００４３】
当該装置は、また、サンプリング周波数Ｆｓａｍｐに従って（第１のカウンタＣ１及び第２のカウンタＣ２によって供給される）第１のランプ信号ＲＣ１及び第２のランプ信号ＲＣ２を夫々サンプリングする第１のサンプリングモジュールＥ１及び第２のサンプリングモジュールＥ２を有する。
【００４４】
サンプリング周波数Ｆｓａｍｐ（即ち、周期Ｔｓａｍｐ。）は、所謂当業者が“サンプリングＰＩＰ”と呼ぶものによって定義される。サンプリングＰＩＰは、ネットワークの、又はネットワークへ取り付けられた全ての通信機器（又は通信局）へ（前出のサンプリング周期に従って）周期的に送信され、全ての機器に対して同じである。サンプリングＰＩＰはサンプリング時を定義する。それは、また、それがフレームＰＩＰを構成する場合に、ＩＥＥＥ８０２．１６−Ｄ標準の場合と同様に、フレームを送信又は受信することができる時点を機器（又は局）のアイテムごとに定義することができる。このような形式のサンプリングＰＩＰは、例えば（且つ、限定されずに）、初期の頃にはイーサネット（登録商標）（有線）ネットワークに用いられ、最近では（全ての種類の）無線ネットワークに拡張されたＩＥＥＥ１５８８標準によって定義される。それは、ＰＴＰ（Ｐｒｅｃｉｓｉｏｎ  Ｔｉｍｅ  Ｐｒｏｔｏｃｏｌ）と呼ばれるクロック同期プロトコルとともに使用される。本発明は、どんな形式のサンプリングＰＩＰが使用されても適用されることが知られる。
【００４５】
例えば、Ｔｓａｍｐは５ミリ秒（ｍｓ）に等しい。
【００４６】
第１のサンプリングモジュールＥ１の出力は、第１のサンプルランプ信号（又は第１のカウンタ信号）Ｐｃｒ＿ｉ１を供給し、第２のサンプリングモジュールＥ２の出力は、第２のサンプルランプ信号（又は第２のカウンタ信号）Ｐｃｒ＿ｉ２を供給する。
【００４７】
本発明に従って、サンプラは、（回復された基準クロック信号Ｆｏｕｔへのクランプによって同期する）第１のサンプリングモジュールＥ１及び第２のサンプリングモジュールＥ２を有しており、同一のサンプリング周期Ｔｓａｍｐに対応する第１のサンプルランプ信号Ｐｃｒ＿ｉ１及び第２のサンプルランプ信号Ｐｃｒ＿ｉ２のサンプルを、それらがパケットのフレーム内で送信される前に、相互に関連付ける役割を果たす。第１のサンプルランプ信号Ｐｃｒ＿ｉ１のサンプル及び第２のサンプルランプ信号Ｐｃｒ＿ｉ２のサンプルの送信は、ネットワークインターフェースモジュールＭＩ１を用いて行われる。ネットワークインターフェースモジュールＭＩ１は、装置Ｄ１、又は機器ＥＱ１のアイテム、のいずれか一方の一部を形成する。このようにして、第１のサンプルランプ信号Ｐｃｒ＿ｉ１のサンプル及び第２のサンプルランプ信号Ｐｃｒ＿ｉ２のサンプルは、ネットワークインターフェースモジュールＭＩ１によって、関連する方法で、パケット（ここではＩＰ。）に組み込まれる。パケットは、その後、同期すべき機器ＥＱ２の遠く離れたアイテムを対象とするフレームに組み込まれる。
【００４８】
関連する形態でのこのような組み込みは、例えば、所与のサンプリング周期Ｔｓａｍｐに対応する第１のサンプルランプ信号Ｐｃｒ＿ｉ１のサンプル及び同じサンプリング周期Ｔｓａｍｐに対応する第２のサンプルランプ信号Ｐｃｒ＿ｉ２のサンプルを同一のパケットで同時に送信することによって行われ得る。
【００４９】
抽出モジュールＭＥ、カウンタＣ１、Ｃ２及びＣ３、並びにサンプリングモジュールＥ１及びＥ２は、望ましくは、電子回路（ハードウェア）の形で具現化される。しかし、それらの少なくとも１つはソフトウェアモジュール（ソフトウェア）及び電子回路（ハードウェア）の組合せの形で具現化されると考えることができる。
【００５０】
ここで図２を参照して、本発明に従う、同期信号Ｄ２の再構成を支援する第１の装置について記載する。図２に表されるように、このような装置Ｄ２は、同期信号を必要とする（通信）機器ＥＱ２のアイテムに組み込まれても、あるいは、同期信号を必要とする機器の少なくとも１つの他のアイテムに有線で接続されても良い。後者の場合、装置Ｄ２は、例えばＩＰ／アナログ形式のネットワークインターフェースを構成しても、あるいは、その一部を形成しても良い。
【００５１】
変形例で、装置Ｄ２は、機器ＥＱ２の当該アイテムの外側にあるが、当該アイテムに結合されている要素（例えば、電子カード。）であっても良いことが知られる。
【００５２】
（同期信号の再構成を支援する）第１の装置Ｄ２は、少なくとも１つの処理モジュールＭＴと、位相ロックループ（即ち、ＰＬＬ。）ＢＶと、第１のカウンタＣ４とを有する。
【００５３】
図２に表されるように、位相ロックループ（ＰＬＬ）ＢＶは、通常、比較モジュールＭＣＮと、補正モジュールＭＣＲと、クロックモジュールＭＨと、第２のカウンタＣ５と、サンプラＥ４とを有する。
【００５４】
比較モジュールＭＣＮは、ネットワークインターフェースモジュールＭＩ２から第２のサンプルランプ信号Ｐｃｒ＿ｉ２のサンプルを受け取る入力部を有する。より厳密には、ネットワークインターフェースモジュールＭＩ２は、パケット（ここではＩＰ。）のフレームを受信し、その内容（コンテンツ）を解析し、第２のサンプルランプ信号Ｐｃｒ＿ｉ２のサンプルを比較モジュールＭＣＮへ送信するとともに、第１のサンプルランプ信号Ｐｃｒ＿ｉ１の第１のサンプルを処理モジュールＭＴへ送信する。図２に表されるように、ネットワークインターフェースモジュールＭＩ２は、支援装置Ｄ２の一部を形成することができる。しかし、変形例で、ネットワークインターフェースモジュールＭＩ２は、支援装置Ｄ２の外部にあって、装置Ｄ２に結合されても良い。
【００５５】
この比較モジュールＭＣＮは、（装置Ｄ１から発せられた）第２のサンプルランプ信号Ｐｃｒ＿ｉ２を局所的な（即ち、自身の）サンプルランプ信号ＰｃｒＬｏｃ２と比較して、かかる比較の結果を表す比較信号を出力部において供給する。図２に表されるように、比較モジュールＭＣＮは、例えば、第２のサンプルランプ信号Ｐｃｒ＿ｉ２の値から局所的なサンプルランプ信号ＰｃｒＬｏｃ２を減じて、かかる減算の結果に等しい比較信号（即ち、誤差信号。）Ｅｒ（Ｅｒ＝Ｐｃｒ＿ｉ２−ＰｃｒＬｏｃ２）をその出力部において供給する比較器の形で具現化され得る。
【００５６】
当然、ＰＬＬＢＶで、比較信号（即ち、誤差信号。）は、極めて小さいジッタを有する入力信号へのロックオンフェーズの間は零（０）に等しい。ジッタを含む入力信号に対し、ＰＬＬＢＶの出力にはジッタが含まれない。この場合、誤差Ｅｒの値は、除去されたジッタの値である。
【００５７】
補正モジュールＭＣＲは、比較モジュールＭＣＮによって供給される比較信号Ｅｒに基づいて、クロックモジュールＭＨによって供給されるべき設定値を決定する。
【００５８】
補正モジュールＭＣＲは、例えば、スレーブ制御の意味において零速度誤差を有することを可能にする所謂Ｚｄａｎプロシージャを実施する。しかし、当業者に知られる他のプロシージャが実施されても良い。
【００５９】
クロックモジュールＭＨは、装置Ｄ１によって送信側で使用されるものと同じ基準クロック信号Ｆｏｕｔを示す基準クロック信号を再構成する。それは、例えば、所謂蓄積原理（ａｃｃｕｍｕｌａｔｉｏｎ  ｐｒｉｎｃｉｐｌｅ）を実施するデジタルＶＣＯ（Ｖｏｌｔａｇｅ  Ｃｏｎｔｒｏｌｌｅｄ  Ｏｓｃｉｌｌａｔｏｒ（電圧制御発振器））の形を取る。
【００６０】
クロックモジュールＭＨの出力部は、再構成された基準クロック信号Ｆｏｕｔを、機器ＥＱ２のアイテムと、第１のカウンタＣ４と、ＰＬＬＢＶの第２のカウンタＣ５とへ供給する。
【００６１】
第２のカウンタＣ５は、その最後の零へのリセットから後にクロックモジュールＭＨによって供給された基準クロック信号Ｆｏｕｔの数を各時点において表す周期的な再構成されたランプ信号ＲＣ２′を生成し、その出力部において供給する。特に、基準クロック信号ＦｏｕｔがクロックモジュールＭＨから受信されるたびに、第２のカウンタＣ５の値は１単位だけ増分される。第２のカウンタＣ５のこの値が（装置Ｄ１の第２のカウンタＣ２によって使用されたものと厳密に同一である）所定の最大値に達すると、第２のカウンタＣ５の値は零にリセットされ、新しい周期（Ｔ２）が開始する。
【００６２】
サンプラＥ４は、装置Ｄ１によって以前に使用されたものと同一であるサンプリング周波数Ｆｓａｍｐに従って（第２のカウンタＣ５の出力部によって供給された）第２の再構成ランプ信号ＲＣ２′をサンプリングして、比較モジュールＭＣＮによって使用される第２の局所的なサンプルランプ信号ＰｃｒＬｏｃ２を構成し、その出力部において供給する。
【００６３】
ＰＬＬがロックオンされると、第２の再構成ランプ信号ＲＣ２′は、装置Ｄ１によって生成された第２のサンプルランプ信号Ｐｃｒ＿ｉ２と同一且つ同相である。
【００６４】
第１のカウンタＣ４（同期カウンタとも呼ばれる。）は、ネットワークインターフェースモジュールＭＩ２によって受信された第１のサンプルランプ信号Ｐｃｒ＿ｉ１の第１のサンプルによって表される値に等しい初期化値Ｖ１により初期化される。
【００６５】
ＰＬＬがロックオンされ、従って、基準クロック信号ＦｏｕｔがＰＬＬＢＶによって再構成されると、第１のカウンタＣ４は、その基準クロック信号Ｆｏｕｔの各クロックＴＩＣＫにおいてその初期化値を１単位だけ増分する。次いで、第１のカウンタＣ４は、零への最後のリセットから後に（ＰＬＬＢＶの）クロックモジュールＭＨによって供給された基準クロック信号Ｆｏｕｔの数を各時点において表す周期的な再構成されたランプ信号ＲＣ１′を出力部において供給する。
【００６６】
初期化されると、第１のカウンタＣ４は、その値が（装置Ｄ１の第１のカウンタＣ１に使用されたものと厳密に同一である）所定の最大値に達した場合に、その値を零（０）にリセットして、新しいカウント周期（Ｔ１）の開始を生じさせることが知られる。
【００６７】
更に、ＰＬＬＢＶがロックオンされると、第１の再構成ランプ信号ＲＣ１′は、第２の再構成ランプ信号ＲＣ２′と同相であることが知られる。従って、第１の再構成ランプ信号ＲＣ１′は、装置Ｄ１によって生成された第１のランプ信号ＲＣ１と完全に同じであって、且つ、同相である。これは、ＰＬＬロックオンが行われると、第２の再構成ランプ信号ＲＣ２′が、定義により第１のランプ信号ＲＣ１と完全に同相である（装置Ｄ１によって生成された）第２のランプ信号ＲＣ２と同相であることによる。従って、第１の再構成ランプ信号ＲＣ１′は、同期信号ＳＣを再構成するために使用され得る。同期信号ＳＣに基づいて、第１のランプ信号ＲＣ１は送信側において定められていた。
【００６８】
初期化値Ｖ１は、処理モジュールＭＴによって第１のカウンタＣ４へ供給される。処理モジュールＭＴは、実際には、ネットワークインターフェースモジュールＭＩ２へ結合されており、従って、ネットワークインターフェースモジュールＭＩ２から第１のサンプルランプ信号Ｐｃｒ＿ｉ１のサンプルを受け取る。このようにして、処理モジュールＭＴは、少なくとも、受け取った第１のサンプルランプ信号Ｐｃｒ＿ｉ１の第１のサンプルに対応する値Ｖ１と、この第１のサンプル（及び、従って、この値Ｖ１）に対応するサンプリング周期とを決定する。次いで、処理モジュールＭＴは、値Ｖ１に基づき、且つ、第１のサンプルランプ信号Ｐｃｒ＿ｉ１の第１のサンプルに対応するサンプリング周期にクランプされたカウントを、第１のカウンタＣ４に開始させる（図３参照。）。このクランプにより、第２の再構成ランプ信号ＲＣ２′に対する第１のカウンタＣ４の同期化が得られる。
【００６９】
望ましくは、第１のカウンタＣ４の出力部は、第１の再構成ランプ信号ＲＣ１′を制御モジュールＭＣ２に供給する。制御モジュールＭＣ２は、第１のカウンタＣ４が零に設定されるたびに、コンテンツＰＩＰＴＣ′を定める。図２に表されるように、望ましくは、この制御モジュールＭＣ２は装置Ｄ２の一部を形成する。しかし、それは、また、装置Ｄ２の外部にあって、その第１のカウンタＣ４の出力部へ結合されても良い。
【００７０】
更に、図２に表されるように、装置Ｄ２は、また、（制御モジュールＭＣ２によって定められる）コンテンツＰＩＰＴＣ′と、基準クロック信号Ｆｏｕｔとに基づいて、（最初に送信側（Ｔｘ）のマスタ発生モジュールＧＭによって生成された）同期信号ＳＣを再構成する発生モジュールＭＧ２を有することができる。この発生モジュールＭＧ２は、また、装置Ｄ２の外部にあって、その制御モジュールＭＣ２の出力部へ結合されても良い。
【００７１】
図３は、送信側（Ｔｘ）及び受信側（Ｒｘ）で考えられる時間チャート（タイミング図）を限定されてない方法で表す。かかる時間チャートは、第２のランプ信号ＲＣ２（ＲＣ２′）の周期Ｔ２が第１のランプ信号ＲＣ１（ＲＣ１′）の周期Ｔ１の整数倍、即ち、Ｔ２＝ｍ×Ｔ１であるところの（限定されない）状況に対応する。しかし、本発明は、第２のランプ信号ＲＣ２（ＲＣ２′）の周期Ｔ２が第１のランプ信号ＲＣ１（ＲＣ１′）の周期Ｔ１の整数倍でない状況にも同様に適用される。
【００７２】
特に、図３において：
−信号“ＴＣ”は、装置Ｄ１の抽出モジュールＭＥによって同期信号ＳＣから推定されるコンテンツＰＩＰＴＣに対応する。
−信号“ＲＣ１”は、基準クロック信号のＴＩＣＫと、コンテンツＰＩＰＴＣとに基づいて装置Ｄ１の第１のカウンタＣ１によって生成される第１のランプ信号ＲＣ１に対応する。
−信号“ＲＣ２”は、基準クロック信号のＴＩＣＫと、第１のランプ信号ＲＣ１の連続的な零設定とに基づいて装置Ｄ１の第２のカウンタＣ２によって生成される第２のランプ信号ＲＣ２に対応する。
−信号“ＲＣ２′”は、受信された第２のサンプルランプ信号Ｐｃｒ＿ｉ２に基づいて装置Ｄ２の第２のカウンタＣ５によって再構成される第２の再構成ランプ信号ＲＣ２′に対応する。参照符号ＤＲは、第２のサンプルランプ信号Ｐｃｒ＿ｉ２及び（ここでは）関連する第１のサンプルランプ信号Ｐｃｒ＿ｉ１の装置Ｄ２（又はＤ２′）による受信の開始を示す。
−信号“ＲＣ１′”は、第１のサンプルランプ信号Ｐｃｒ＿ｉ１の第１のサンプルの値Ｖ１に基づいて装置Ｄ２の第１のカウンタＣ４によって再構成される第１の再構成ランプ信号ＲＣ１′に対応する。
−信号“ＴＣ′”は、装置Ｄ２の制御モジュールＭＣ２によって（第１のカウンタＣ４によって供給される）第１の再構成ランプ信号ＲＣ１′から推定されるコンテンツＰＩＰＴＣ′に対応する。参照符号ＴＣ１は、同期信号ＳＣの再構成であるように一時的にクランプすることが可能であるところの第１の有効なコンテンツＰＩＰを表す。
【００７３】
当然、同期信号ＳＣは、装置Ｄ２の制御モジュールＭＣ２によって再構成されたコンテンツＰＩＰＴＣ′と、基準クロック信号Ｆｏｕｔとに基づいて、発生モジュールＭＧ２によって、その後に再構成される。
【００７４】
図２を参照して上述された第１の装置Ｄ２の実施形態の変形例を考え出すことが可能である。この変形例（図示せず。）で、第１の装置Ｄ２は、少なくとも１つの補助カウンタを有する補助的なモジュールを有する。補助カウンタは、第１のカウンタ（同期カウンタ）Ｃ４と同期し、且つ、最後の同期ＰＩＰから後に考慮されるコンテンツのサブセットの数を表す値を示す。例えば、サブセットは、画像を決定する（６２５本の）ラインのうちの１つであり、この場合に、補助カウンタはラインカウンタである。しかし、サブセットは、また、画像ラインの画素の１つであっても良く、この場合に、補助カウンタは画素カウンタである。この場合に、第１のカウンタＣ４の所与の値に、ラインカウンタの一意の値及び／又は画素カウンタの一意の値は対応する。
【００７５】
このような変形例で、処理モジュールＭＴは、例えば、コンテンツの存続期間がサブセットの存続期間の整数倍であるという事実を考慮しながら、夫々の補助カウンタの対応する値を第１のカウンタＣ４の現在の値から推定する。このようにして、処理モジュールＭＴは、第１のカウンタＣ４の現在値が、補助コンテンツサブセットカウンタが取ることができる最大値に対応することを検出すると即座に、この補助カウンタの値を零に設定する。夫々の零設定は、例えば、制御モジュールＭＣ２によって検出される。次いで、制御モジュールＭＣ２は、同期信号ＳＣの再構成を開始するように、第１の装置Ｄ２が一時的にクランプすることができる同期ＰＩＰを決定する。このことは、初期化待ち時間の存続期間を更に一層減らすことを可能にする。しかし、この存続期間は、サンプリング周期Ｔｓａｍｐの存続期間よりも小さくはならないことが知られる。
【００７６】
ここで図４を参照して、本発明に従う、同期信号Ｄ２′の再構成を支援する第２の装置について記載する。図４に表されるように、このような第２の装置Ｄ２′は、同期信号を必要とする（通信）機器ＥＱ２のアイテムに組み込まれても、あるいは、同期信号を必要とする機器の少なくとも１つの他のアイテムに有線で接続されても良い。後者の場合、第２の装置Ｄ２′は、例えばＩＰ／アナログ形式のネットワークインターフェースを構成しても、あるいは、その一部を形成しても良い。
【００７７】
変形例で、装置Ｄ２′は、機器ＥＱ２の当該アイテムの外側にあるが、当該アイテムに結合されている要素（例えば、電子カード。）であっても良いことが知られる。
【００７８】
（同期信号の再構成を支援する）第２の装置Ｄ２′は、少なくとも１つの処理モジュールＭＴ′と、位相ロックループ（即ち、ＰＬＬ。）ＢＶ′とを有する。
【００７９】
第２の装置Ｄ２′は、本発明に従うサンプルランプ信号を発生させる装置Ｄ１によってではなく、専ら、従来形式のサンプルランプ信号を発生させる装置によって生成される第２のサンプルランプ信号を処理することを目的とする点に留意することが重要である。
【００８０】
ここで思い出されるべきは、従来形式のサンプルランプ信号を発生させる装置は：
−マスタ発生モジュールによって生成される同期信号ＳＣ（ここではゲンロック。）に基づいて基準クロック信号Ｆｏｕｔ及びコンテンツＰＩＰＴＣを回復する抽出モジュールと、
−回復された基準クロック信号Ｆｏｕｔに基づいて第１のランプ信号ＲＣ１を生成する第１のカウンタと、
−回復された基準クロック信号Ｆｏｕｔに基づいて第２のランプ信号ＲＣ２を生成する第２のカウンタと、
−ｉ）抽出モジュールによって回復された夫々のコンテンツＰＩＰＴＣを測定し、ｉｉ）コンテンツＰＩＰＴＣが回復され、測定されるたびに、第１のカウンタを値零に設定し、ｉｉｉ）第１のカウンタ（及び、従って、第１のランプ信号ＲＣ１の値）の零設定の数が選択される閾値（ｍ）（例えば、ｍ＝２０４８。）に等しくなるたびに基準ＰＩＰを決定する第３のカウンタと、
−サンプリング周波数Ｆｓａｍｐに従って（第２のカウンタによって供給される）第２のランプ信号ＲＣ２をサンプリングして、第２のサンプルランプ信号Ｐｃｒ＿ｉ２を供給するサンプラと、
−第２のサンプルランプ信号Ｐｃｒ＿ｉ２のサンプルをパケットに組み込み、係るパケットを機器ＥＱ２の遠く離れたアイテムに送信されるフレームにおいて送信する可能なネットワークインターフェースモジュールＭＩ１と
を有する点である。
【００８１】
図４に表されるように、位相ロックループ（ＰＬＬ）ＢＶ′は、ネットワークインターフェースモジュールＭＩ２′によって第２のサンプルランプ信号Ｐｃｒ＿ｉ２を供給される。ネットワークインターフェースモジュールＭＩ２′は、パケット（ここではＩＰ。）のフレームを受信し、その内容（コンテンツ）を解析し、第２のサンプルランプ信号Ｐｃｒ＿ｉ２のサンプルを比較モジュールＭＣＮ′へ送信する。図４に表されるように、ネットワークインターフェースモジュールＭＩ２′は、支援装置Ｄ２′の一部を形成することができる。しかし、変形例で、ネットワークインターフェースモジュールＭＩ２′は、支援装置Ｄ２′の外部にあって、装置Ｄ２′に結合されても良い。
【００８２】
位相ロックループ（ＰＬＬ）ＢＶ′は、（図２に表される）先の例となる実施形態と同様に、比較モジュールＭＣＮ′と、補正モジュールＭＣＲ′と、クロックモジュールＭＨ′と、第２のカウンタＣ５′と、サンプラＥ４′とを有する。その動作は、第１の装置Ｄ２の位相ロックループ（ＰＬＬ）ＢＶの動作と同様である。結果として、比較モジュールＭＣＮ′の動作は比較モジュールＭＣＮの動作と同様であり、補正モジュールＭＣＲ′の動作は補正モジュールＭＣＲの動作と同様であり、クロックモジュールＭＨ′の動作はクロックモジュールＭＨの動作と同様であり、第２のカウンタＣ５′の動作は第２のカウンタＣ５の動作と同様であり、サンプラＥ４′の動作はサンプラＥ４の動作と同様である。
【００８３】
ここで思い出されるべきは、クロックモジュールＭＨ′は、送信側で使用されるものと同じ基準クロック周波数を示す基準クロック信号Ｆｏｕｔを再構成する役割を果たす点である。その出力部は、再構成された基準クロック信号Ｆｏｕｔを、機器ＥＱ２のアイテムと、第１のカウンタＣ４′と、第２のカウンタＣ５′とに供給する。
【００８４】
第２の装置Ｄ２′は、第２の再構成されたサンプルランプ信号ＰｃｒＬｏｃ２の第１のサンプルに対応する値Ｖ１′と、この値Ｖ１′に対応するサンプリング周期とを少なくとも決定する処理モジュールＭＴ′を有する。従って、図４に表されるように、処理モジュールＭＴ′は、例えば、少なくとも第２の再構成されたサンプルランプ信号ＰｃｒＬｏｃ２の第１のサンプルを解析して、少なくとも、この第１のサンプルが表す値Ｖ１′と、この値Ｖ１′に対応するサンプリング周期とを決定することができる。
【００８５】
処理モジュールＭＴ′が値Ｖ１′を決定すると、処理モジュールＭＴ′は、この値から初期化値Ｖ２を推定する。値Ｖ２は、決定された値Ｖ１′に関するサンプリング周期に対応し、且つ、一方で、送信側の第１のランプ信号ＲＣ１（ひいては、再構成されるべき同期信号）の一部によって取られる値を表し、他方で、この決定されたサンプリング周期に対応する。第２のランプ信号ＲＣ２の一部の値に同期する第１のランプ信号ＲＣ１の一部の値を推定することができるように、第２のランプ信号ＲＣ２のランプの存続期間Ｔ２が、第１のランプ信号ＲＣ１のランプの存続期間Ｔ１を乗じられた選択された値Ｋに等しいことが絶対的に必要とされる。この値Ｋは、例えば、映像コンテンツの場合であって、且つ、Ｔ１が４０ミリ秒（ｍｓ）に等しい場合に、２０４８に等しい。従って、この場合に、所与のサンプリング周期に関する第２のランプ信号Ｐｃｒ＿ｉ２のサンプルの値と、この同じ所与のサンプリング周期に対応する（送信側の）第１の関連するランプ信号ＲＣ１の一部の値との間には、実際には、既知の対応関係が存在する。ここで、存続期間Ｔ２が必然的にモジュロＫ×Ｔ１でなければならないと言う事実が使用される。
【００８６】
処理モジュールＭＴ′は初期化値Ｖ２を決定すると、この初期化値Ｖ２により第１のカウンタ（即ち、同期カウンタ。）Ｃ４′を初期化する。第１のカウンタＣ４′は、第２の再構成ランプ信号ＲＣ２′と同期する。これは、それらが、再構成された基準クロック信号Ｆｏｕｔを使用し、あるいは、それにより構成されることによる。
【００８７】
特に、処理モジュールＭＴ′は、第１のカウンタＣ４′に、値Ｖ２に基づき、且つ、第２のサンプルランプ信号Ｐｃｒ＿ｉ２の第１のサンプルに対応するサンプリング周期にクランプされた、カウントを開始させる。このクランプにより、第２の再構成ランプ信号ＲＣ２′に対する第１のカウンタＣ４′の同期化が得られる。クランプの時点から、第１のカウンタＣ４′は自律モードに切り替わる。第１のカウンタＣ４′は、その開始値Ｖ２を、再構成された基準クロック信号Ｆｏｕｔの各ＴＩＣＫにおいて１単位だけ増分し、更に、その値が（装置Ｄ１の第１のカウンタＣ１に使用されるものと厳密に同一である）所定の最大値に達するたびに、その値を零に設定して、存続期間Ｔ１の新しいカウンタ周期を開始する。
【００８８】
望ましくは、第１のカウンタＣ４′の出力部は、第１の再構成ランプ信号ＲＣ１′を制御モジュールＭＣ２′に供給する。制御モジュールＭＣ２′は、第１のカウンタＣ４′が零に設定されるたびに、コンテンツＰＩＰＴＣ′を定める。図４に表されるように、望ましくは、この制御モジュールＭＣ２′は装置Ｄ２′の一部を形成する。しかし、それは、また、第２の装置Ｄ２′の外部にあって、その第１のカウンタＣ４′の出力部へ結合されても良い。
【００８９】
更に、図４に表されるように、第２の装置Ｄ２′は、また、（制御モジュールＭＣ２′によって定められる）コンテンツＰＩＰＴＣ′と、基準クロック信号Ｆｏｕｔとに基づいて、（最初に送信側（Ｔｘ）のマスタ発生モジュールＧＭによって生成された）同期信号ＳＣを再構成する発生モジュールＭＧ２′を有することができる。この発生モジュールＭＧ２′は、また、第２の装置Ｄ２′の外部にあって、その制御モジュールＭＣ２′の出力部へ結合されても良い。
【００９０】
図３に表される時間チャートは、また、第２の装置Ｄ２′に適用される。
【００９１】
第１の装置Ｄ２の場合と同様に、第２の装置Ｄ２′は、場合により、第１のカウンタ（同期カウンタ）Ｃ４′に同期する少なくとも１つの補助カウンタを有し、且つ、最後の同期ＰＩＰから後に考慮されるコンテンツのサブセットの数を表す値を示す補助的なモジュールを有しても良い。この場合に、処理モジュールＭＴ′は、例えば、夫々の補助カウンタ（例えば、ラインカウンタ又は画素カウンタ。）の対応する値を第１のカウンタＣ４′の現在値から推定することができる。このようにして、処理モジュールＭＴ′は、第１のカウンタＣ４′の現在値が、補助コンテンツサブセットカウンタが取ることができる最大値に対応することを検出すると即座に、この補助カウンタの値を零に設定する。夫々の零設定は、例えば、制御モジュールＭＣ２′によって検出される。次いで、制御モジュールＭＣ２′は、同期信号の再構成を開始するように、第２の装置Ｄ２′が一時的にクランプすることができる同期ＰＩＰを決定する。
【００９２】
クロックモジュールＭＨ（又はＭＨ′）、カウンタＣ４（又はＣ４′）及びＣ５（又はＣ５′）、サンプリングモジュールＥ４（又はＥ４′）、並びに、可能な制御モジュールＭＣ２（又はＭＣ２′）及び発生モジュールＭＧ２（又はＭＧ２′）は、望ましくは、電子回路（ハードウェア）の形で具現化される。しかし、それらの少なくとも１つは、ソフトウェアモジュール（ソフトウェア）及び電子回路（ハードウェア）の組合せの形で具現化されると考えることができる。
【００９３】
望ましくは、処理モジュールＭＴ（又はＭＴ′）は、ソフトウェアモジュールの形で具現化される。しかし、それは、ソフトウェアモジュール及び電子回路の組合せの形で、又は、実際には、専ら電子回路の形で具現化されると考えることができる。
【００９４】
本発明は、単に一例として上述されるサンプルランプ信号を発生させる装置、同期信号の再構成を支援する第１及び第２の装置、並びに通信機器に関する実施例に限定されず、特許請求の範囲の適用範囲内の技術分野において通常の知識を有する者によって想到され得る全ての変形例を包含する。
【図面の簡単な説明】
【００９５】
【図１】本発明に従うサンプルランプ信号を発生させる装置の例となる実施形態を備える通信機器の例となるアイテムを、極めて図式的且つ機能的な方法で表す。
【図２】本発明に従う同期信号の再構成を支援する装置の第１の例となる実施形態を備える通信機器の例となるアイテムを、極めて図式的且つ機能的な方法で表す。
【図３】送信側（Ｔｘ）のコンテンツＰＩＰ（ＴＣ）、送信側（Ｔｘ）の第１のランプ信号（ＲＣ１）、送信側（Ｔｘ）の第２のランプ信号（ＲＣ２）、受信側（Ｒｘ）の再構成されたコンテンツＰＩＰ（ＴＣ′）、受信側（Ｒｘ）の第１の再構成されたランプ信号（ＲＣ１′）、及び受信側（Ｒｘ）の第２の再構成されたランプ信号（ＲＣ２′）の例となる時間チャートを表す。
【図４】本発明に従う同期信号の再構成を支援する装置の第２の例となる実施形態を備える通信機器の例となるアイテムを、極めて図式的且つ機能的な方法で表す。
【符号の説明】
【００９６】
ＥＱ１，ＥＱ２  通信機器
Ｄ１    サンプルランプ信号発生装置
Ｄ２，Ｄ２′  同期信号再構成支援装置
ＧＭ    発生モジュール
ＭＥ    抽出モジュール
Ｃ１，Ｃ２，Ｃ３，Ｃ４，Ｃ５  カウンタ
Ｅ１，Ｅ２，Ｅ４  サンプリングモジュール（サンプラ）
ＭＩ１，ＭＩ２  ネットワークインターフェースモジュール
ＢＶ    位相ロックループ（ＰＬＬ）
ＭＣＮ  比較モジュール
ＭＣＲ  補正モジュール
ＭＨ    クロックモジュール
ＭＴ    処理モジュール
ＭＣ２  制御モジュール
ＭＧ２  発生モジュール
Ｔｓａｍｐ  サンプリング周期
Ｆｓａｍｐ  サンプリング周波数
ＳＣ    同期信号
Ｆｏｕｔ  基準クロック信号
ＲＣ１，ＲＣ２，ＲＣ１′，ＲＣ２′  ランプ信号
ＴＣ，ＴＣ′  コンテンツＰＩＰ
Ｐｃｒ＿ｉ１，Ｐｃｒ＿ｉ２  サンプルランプ信号
ＰｃｒＬｏｃ２  局所的なサンプルランプ信号
【図１】
2008178098.tif 000003
【図２】
2008178098.tif 000004
【図３】
2008178098.tif 000005
【図４】
2008178098.tif 000006